(57)【要約】【課題】軽量なクリップであっても、摘み部を挟持した際に、ボディーラインに対して平行に並んだ状態で取り付けることができ、かつ、摘み部を引き伸ばす方向に生地が引っ張られたとしてもボディーラインに対して平行に並んだ状態を維持させることができるクリップを提供する。【解決手段】一対の挟持体が対向した状態で前後方向に伸びるように配置され、両挟持体を開閉させて被挟持物を挟むクリップにおいて、両挟持体に互いに向かい合う挟持面を設け、一方側挟持体の挟持面先端側を後方に向くように曲げると共に、他方側挟持体の挟持面先端側を前方に向け、両挟持体を閉じた状態において、一方側挟持体の挟持面先端側が他方側挟持体の挟持面先端側全体と対向するように位置付ける。【選択図】  図１
2014206179.tif 000002
【特許請求の範囲】
【請求項１】
一対の挟持体が対向した状態で前後方向に伸びるように配置されており、両挟持体を開閉させて被挟持物を挟むクリップにおいて、両挟持体が互いに向かい合う挟持面を有しており、一方側挟持体の挟持面先端側が後方を向くように曲がっていると共に、他方側挟持体の挟持面先端側が前方を向いており、両挟持体を閉じた状態において、他方側挟持体の挟持面先端側全体が一方側挟持体の挟持面先端側と対向するように位置付けられることを特徴とするクリップ
【請求項２】
両挟持体を閉じた状態において、他方側挟持体の挟持面先端側全体が一方側挟持体の挟持面先端部を残して一方側挟持体の挟持面先端側と対向するように位置付けられている請求項１記載のクリップ。
【請求項３】
両挟持体の挟持面から互いに噛み合う少なくとも一つの挟持歯が突出している請求項１又は２のいずれかに記載のクリップ。
【請求項４】
挟持歯が挟持面の平坦部から突出している請求項３記載のクリップ。
【請求項５】
両挟持体の後部から後方へ操作板が伸びており、操作板を他方側挟持体側から前方へ回転させることによって両挟持体を開くことができる請求項１乃至４のいずれかに記載のクリップ。
【請求項６】
請求項１乃至５のいずれかに記載のクリップを取り付けたことを特徴とする情報表示札。
【発明の詳細な説明】
【技術分野】
【０００１】
本発明は、クリップ及び該クリップを取り付けた情報表示札に関するものである。
【背景技術】
【０００２】
周知のとおり、近年においては、防犯対策としてオフィスへの入室を制限するためのセキュリティーカードを社員に所持させる企業が増えており、セキュリティーカードには、所有者の氏名や顔写真などの情報が印刷されているため、セキュリティーカードを透明ケースに収納し、透明ケースをクリップによって被服に装着して名札（情報表示札）として使用されることが多い。
【０００３】
ところで、前記名札に取り付けられるクリップとしては、従来から多くのものが開発されており、例えば、後出特許文献１には、操作片１を倒れ状態とされたときに可動側片２の銜込歯３が固定側片４の先端個所上面５を圧して銜込状態を呈しまた起し状態とされたときに当該銜込の解消状態を呈する構造の銜込型連結金具に関し、銜込歯３部分に対して合成樹脂もしくはゴムの保護層６をデッピング加工法により被着して成ることを特徴とする銜込型連結金具が開示されている。
【先行技術文献】
【特許文献】
【０００４】
【特許文献１】特開平１０−１８４６１８号公報
【発明の概要】
【発明が解決しようとする課題】
【０００５】
しかし、前記特許文献１に開示された銜込型連結金具においては、例えば、図２７の（ａ）に示すように、ワイシャツに取り付ける際に、ワイシャツの生地１００が着用者のボディーラインに沿って平坦に伸びた平坦部１０１を摘んで垂直に立ち上がった摘み部１０２を形成し、摘み部１０２を可動側片１０３と固定側片１０４とで挟持することによって銜込型連結金具１０５をワイシャツに取り付けると、生地１００の弾力によって摘み部１０２が垂直に立ち上がった状態を維持しようとするため、銜込型連結金具１０５が着用者のボディーラインに対して垂直に立ち上がった状態になり、非常に邪魔になるという問題点があった。
【０００６】
なお、前記問題点を解決するため、クリップの重量を利用して摘み部を元端で折り曲げることにより、銜込型連結金具を着用者のボディーラインに対して平行に並んだ状態にすることもできるが、この場合には、クリップの重量を増やす必要があり、着用者に違和感を与えるという問題点があり、また、図２７の（ｂ）に示すように、着用者の姿勢によってワイシャツの生地１００が摘み部１０１を引き伸ばす方向に引っ張られると、これに伴って銜込型連結金具１０５が着用者のボディーラインに対して立ち上がる方向に回転する力が働き、銜込型連結金具１０２が着用者のボディーラインに対して垂直に立ち上がった状態となり、非常に邪魔になるという問題点もあった。
【０００７】
そこで、本発明者は、軽量なクリップであっても、生地の摘み部を挟持した際に、ボディーラインに対して平行に並んだ状態で取り付けることができ、かつ、摘み部を引き伸ばす方向に生地が引っ張られたとしてもボディーラインに対して平行に並んだ状態を維持させることができるクリップを得ることを技術的課題として、その具現化をはかるべく、試行錯誤的に試作・実験を重ねた結果、一対の挟持体が対向した状態で前後方向に伸びるように配置され、両挟持体を開閉させて被挟持物を挟むクリップにおいて、両挟持体に互いに向かい合う挟持面を設け、一方側挟持体の挟持面先端側を後方に向くように曲げると共に、他方側挟持体の挟持面先端側を前方に向け、両挟持体を閉じた状態において、一方側挟持体の挟持面先端側が他方側挟持体の挟持面先端側全体と対向するように位置付ければ、軽量なクリップであっても、摘み部を挟持した際に、ボディーラインに対して平行に並んだ状態で取り付けることができ、かつ、摘み部を引き伸ばす方向に生地が引っ張られたとしてもボディーラインに対して平行に並んだ状態態を維持することができるという刮目すべき知見を得、前記技術的課題を達成したものである。
【課題を解決するための手段】
【０００８】
前記技術的課題は、次の通りの本発明によって解決できる。
【０００９】
すなわち、本発明に係るクリップは、一対の挟持体が対向した状態で前後方向に伸びるように配置されており、両挟持体を開閉させて被挟持物を挟むクリップにおいて、両挟持体が互いに向かい合う挟持面を有しており、一方側挟持体の挟持面先端側が後方を向くように曲がっていると共に、他方側挟持体の挟持面先端側が前方を向いており、両挟持体を閉じた状態において、一方側挟持体の挟持面先端側が他方側挟持体の挟持面先端側全体と対向するように位置付けられるものである。
【００１０】
また、本発明は、前記クリップにおいて、両挟持体を閉じた状態において、他方側挟持体の挟持面先端側全体が一方側挟持体の挟持面先端部を残して一方側挟持体の挟持面先端側と対向するように位置付けられているものである。
【００１１】
また、本発明は、前記いずれかのクリップにおいて、両挟持体の挟持面から互いに噛み合う少なくとも一つの挟持歯が突出しているものである。
【００１２】
また、本発明は、前記クリップにおいて、挟持歯が挟持面の平坦部から突出しているものである。
【００１３】
また、本発明は、前記いずれかのクリップにおいて、両挟持体の後部から後方へ操作板が伸びており、操作板を他方側挟持体側から前方へ回転させることによって両挟持体を開くことができるものである。
【００１４】
また、本発明に係る情報表示札は、前記いずれかのクリップが取り付けられたものである。
【発明の効果】
【００１５】
本発明によれば、一方側挟持体の挟持面先端側を後方に向くように曲げると共に、他方側挟持体の挟持面先端側を前方に向け、両挟持体を閉じた状態において、一方側挟持体の挟持面先端側が他方側挟持体の挟持面先端側全体と対向するように位置付けたので、例えば、被挟持物となる生地を摘んで摘み部を形成し、両挟持体によって摘み部を挟んだ状態において、摘み部を引き伸ばすような力が加わったとしても、クリップ全体に対して回転させる力が働かないか、或いは、クリップ全体に対して両挟持体の挟持面先端で摘まれた生地を中心としてクリップを生地に密着させる方向へ回転させる力が働き、これにより、クリップが生地に対して平行に位置付けられた状態が維持され、着用者の邪魔にならない。また、両挟持体における挟持面の平坦部に互いに噛み合う挟持歯を設けることにより、被挟持物が、両挟持体の挟持面先端側に挟まれると共に両挟持面の平坦部に設けられた挟持歯によって挟まれた状態となって両挟持片の間から被挟持物が抜け難くなる。
【００１６】
従って、本発明の産業上利用性は非常に高いといえる。
【図面の簡単な説明】
【００１７】
【図１】実施の形態１に係るクリップを示した分解斜視図である。
【図２】図１に示す一方側挟持体を示した平面図である。
【図３】図１に示す一方側挟持体を示した底面図である。
【図４】図１に示す一方側挟持体を示した側面図である。
【図５】図１に示す一方側挟持体を示した中央縦断面図である。
【図６】図１に示す他方側挟持体を示した平面図である。
【図７】図１に示す他方側挟持体を示した底面図である。
【図８】図１に示す他方側挟持体を示した側面図である。
【図９】図１に示す他方側挟持体を示した中央縦断面図である。
【図１０】図１に示す操作体を示した平面図である。
【図１１】図１に示す操作体を示した底面図である。
【図１２】図１に示す操作体を示した側面図である。
【図１３】図１０に示す操作体を示したＡ−Ａ断面図である。
【図１４】図１０に示す操作体を示したＢ−Ｂ断面図である。
【図１５】一方側挟持体及び他方側挟持体に対して操作体を嵌め込む過程を示した中央縦断面図である。
【図１６】開いた状態のクリップの操作体における第一作動カムのカム面を前後方向に切断して示した縦断面説明図である。
【図１７】開いた状態のクリップの操作体における第二作動カムの規制溝を前後方向に切断して示した縦断面説明図である。
【図１８】開いた状態のクリップの操作体における第二作動カムのカム面を前後方向に切断して示した縦断面説明図である。
【図１９】閉じる過程のクリップの操作体における第一作動カムのカム面を前後方向に切断して示した縦断面説明図である。
【図２０】閉じた状態のクリップの操作体における第一作動カムのカム面を前後方向に切断して示した縦断面説明図である。
【図２１】閉じた状態のクリップの操作体における第二作動カムの規制溝を前後方向に切断して示した縦断面説明図である。
【図２２】閉じた状態のクリップの操作体における第二作動カムのカム面を前後方向に切断して示した縦断面説明図である。
【図２３】実施の形態１に係るクリップを取り付けた情報表示札を示した側面図である。
【図２４】図２３に示す情報表示札を生地に取り付ける過程を説明した説明図である。
【図２５】実施の形態２に係る情報表示札を示した側面図である。
【図２６】実施の形態３に係るクリップの両挟持体の挟持片を示した説明図である。
【図２７】従来の銜込型連結金具を示した説明図である。
【発明を実施するための形態】
【００１８】
以下、本発明の実施の形態を説明する。
【００１９】
実施の形態１．
【００２０】
本実施の形態に係るクリップ１は、図１に示すように、被挟持物を挟むように対向して位置付けられる一方側挟持体２及び他方側挟持体３と、両挟持体２，３を開閉する操作体４とから構成されている。
【００２１】
一方側挟持体２は、図１、図２〜図５に示すように、長方形状の基板５の後方に嵌合窓６が設けられ、嵌合窓６の両側位置に側壁７，７が設けられると共に後側位置に両側壁７，７より低い後壁８が該両側壁７，７から僅かに後方へ突出するように設けられ、基板５の前方に上面を挟持面９とする挟持片１０が設けられている。そして、後壁８には、前面下側中央から前方へ突出する支持棚１１が設けられ、両側壁７，７には、支持棚１１の前方上方に位置するように支持軸１２が架け渡されている。
【００２２】
後壁８は、前面上側が断面略１／４円弧状に切り欠かれており、前面下側から支持棚１１を挟むように該支持棚１１の上面に届かない高さから前方へ向かって傾斜した傾斜棚１３，１３が形成されている。また、支持棚１１は、上面が断面略１／８円弧状に切り欠かれており、前面から前方へ突出する一対の爪片１４，１４が間隔を空けて設けられている。なお、後壁８の前面上側と支持棚１１の上面とは一続きの面を形成しており、両面によって前方上方に向かって円弧状に窪んだ円弧状凹面１５が形成される。
【００２３】
支持軸１２は、上面が両側壁７，７の上端に揃う両端を結ぶアーチ状に形成された丸棒状になっており、前面上側を長手方向に沿って走る突起部１６が設けられている。
【００２４】
挟持片１０は、薄板状に形成されており、円弧状に形成された先端側が前方上方へと傾斜するように折り曲げられている。よって、挟持片１０の挟持面９は、後方へ向くように傾斜させて形成された傾斜部１７と、上方へ向くように平坦状に形成された平坦部１８とから構成される。また、挟持面９の平坦部１８には、二列に並ぶ一方側挟持歯１９，１９が設けられており、一方側挟持歯１９，１９は連続する複数の歯先を有している。また、挟持片１０における挟持面９の平坦部１８の裏側に位置する裏面は、下方へ向いており、両側壁７，７よりも僅かに下方へ突出している（図４及び図５参照）。なお、挟持面９の平坦部１８に対する傾斜部１７の傾斜角度θは、９０°〜１６０°が好ましく、より好ましくは１１５°〜１２５°である。
【００２５】
他方側挟持体３は、図１、図６及び図９に示すように、長方形状の基板２０の後方に一方側挟持体２の嵌合窓６に嵌め込まれる側面視略凹状の嵌合板２１が設けられ、基板２０の前方に下面を挟持面２２とする挟持片２３が設けられている。
【００２６】
嵌合板２１の底部２４は、図６及び図９に示すように、上面の両側位置に隆起部２５，２５が形成されており、両隆起部２５，２５を除く上面の中央に後方に向かって走る溝部２６が形成されている。また、嵌合板２１の後壁２７は、底部２４の両隆起部２５，２５を後方へ延長させて立ち上げた両起立部２８，２８の上端に横棒部２９を架け渡して形成されている。そして、横棒部２９には、上面中央から突起部３０が立ち上がっており、突起部３０は、横棒部２９の前面よりも前方へ飛び出した当接片３１を有している。また、当接片３１は、前面中央に上下方向へ走るカム溝３２が形成されていると共にカム溝３２の両側位置に規制片３３，３３が形成されており、さらに、当接片３１の下面には、下面前側を残して下面後側から前方下方に位置する底部２４の溝部２６へと支持部３４が伸びている。なお、支持部３４は、当接片３１のカム溝３２と同一幅に形成されている。
【００２７】
横棒部２９は、図８及び図９に示すように、後面が一方側挟持体２の円弧状凹面１５に嵌り込む形状に形成されており、具体的には、後面が後方下方に向かって断面略１／４円弧状に出っ張って円弧状凸面３５を形成している。また、両起立部２８，２８は、一方側挟持体２の傾斜棚１３，１３の幅より狭い幅となっており、後面が一方側挟持体２の傾斜棚１３，１３の上面に対応する受け形状に形成されている。
【００２８】
挟持片２３は、薄板状に形成されており、円弧状に形成された先端側の先端がフラットに切り落とされている。よって、挟持片２３の挟持面２２は、前方へ向くようにフラット状に形成されたフラット部６８と、下方へ向くように平坦状に形成された平坦部６９とから構成される。また、挟持面２２の平坦部６９には、二列に並ぶ他方側挟持歯３５，３５が設けられている（図７及び図８参照）。なお、他方側挟持歯３５，３５のうちで前列に配置される他方側挟持歯３５は、連続する複数の歯先を有しおり、他方側挟持歯３５，３５のうちで後列に配置される他方側挟持歯３５は、間隔を空けて並べられた一対の歯先を有している。また、挟持片２３における挟持面２２の平坦部の裏側に位置する裏面は、上方へ向いており、両側へ僅かに湾曲したネイル状に形成されている（図４及び図５参照）。
【００２９】
操作体４は、図１、図１０及び図１３に示すように、長方形状の基板３７の後方に紐通し穴３８を設けた矩形状のグリップ３９が設けられ、前方に一方側挟持体２の両側壁７，７間に嵌り込む側面視略逆凹状の背板４０が設けられている。
【００３０】
背板４０の前壁４１には、上面に一方側挟持体２の支持軸１２に回動可能に嵌る断面円弧状の軸受横溝部４２が形成されており、下面の中央位置に第一作動カム４３が形成されていると共に、下面の第一作業カム４２の両側位置に第二作動カム４４，４４が形成されている。また、背板４０の中板４５には、下面の中央位置に他方側挟持体３の突起部３０の外形に対応するように窪んだ嵌受部４６が形成されており、下面の嵌受部４６の両側位置に他方側挟持体３の突起部３０を挟んで両側に位置する横棒部２９の上面と密着する台座部４７が形成されている。また、背板４０の後壁４８には、下面に一方側挟持体２の後壁８の上面に対応する段溝部４９が形成されている。
【００３１】
第一作動カム４３は、図１３に示すように、前壁４１の後方下方へ突出した断面U字状のカム面５０を有している。第一作動カム４３のカム面５０は、一方側挟持体２の支持棚１１に設けられた両爪片１４，１４間及び他方側挟持体３の突起部３０に形成されたカム溝３２を通過することができる幅に形成されている。そして、第一作動カム４３は、他方側挟持体３の突起部３０に形成されたカム溝３２に対してカム面５０先端部５１を押圧状態で接触させるようになっている。
【００３２】
第二作動カム４４，４４は、前壁４１の下方へ突出した断面U字状のカム面５２を有している。なお、第二作動カム４４，４４のカム面５２は、第一作動カム４３のカム面５０よりも前方に位置付けられおり、かつ、第一作動カム４３のカム面５０よりも下方へ突出している。また、第二作動カム４４，４４のカム面５２は、図１１に示すように、第一作動カム４３と台座部４７との間に位置する後面が前方へ窪んで規制溝５３，５３を形成しており、規制溝５３，５３は、他方側挟持体３の突起部３０の規制片３３が通過することができる幅に形成されている。そして、第二作動カム４４，４４は、他方側挟持体３の隆起部２５の上面にカム面５２先端部５４を押圧状態で接触させ、また、他方側挟持体３の突起部３０に形成された規制片３３の動きを規制溝５３で規制するようになっている。
【００３３】
なお、他方側挟持体３の嵌合板２１は、一方側挟持体２の嵌合窓６に余裕を持って嵌まる外寸法となっている。そして、他方側挟持体３の嵌合板２１を一方側挟持体２の前方から支持軸１２の下に向かって通して一方側挟持体２の嵌合窓６内に嵌合板２１の底部２４を収めると、図１５の点線にて示すように、他方側挟持体３の横棒部２９の円弧状凸面３５が一方側挟持体２の円弧状凹面１５に接触して載った状態となり、他方側挟持体３の両起立部２８，２８の背面が一方側挟持板２の傾斜棚１３，１３の上面に間隙を有して載った状態となり、一方側挟持体２の挟持片１０と他方側挟持体３の挟持片２３とが対向した状態となって一方側挟持体２の一方側挟持歯１９と他方側挟持体３の他方側挟持歯３６とが噛み合った状態となる。この時、嵌合板２１の下面と一方側挟持体２の両側壁７，７及び後壁８の下面とは揃う寸法となっている。
【００３４】
また、一方側挟持体２に他方側挟持体３を組み込んだ状態にて他方側挟持体３の後方から支持軸１２に操作体４の軸受横溝部４２を嵌め込んで操作体４を支持軸１２を中心として後方へ回転させると、図１５の実線にて示すように、第二作動カム４４のカム面５２先端部５４前面が他方側挟持板３の突起部３０上面に接触するようになっている。そして、この状態から更に操作体４を支持軸１２を中心として後方へ回転させると、突起部３０を有する横棒部２９が操作体４の第二作動カム４４の押圧によって弾性変形し、これにより、第二作動カム４４が突起部３０に形成された規制片３３を乗り越えた後、さらに、第一作動カム４３が突起部３０に形成されたカム溝３２を乗り越え、操作体４の前壁４１を他方側挟持板３の嵌合板２１内に押し込むことができるようになっている。
【００３５】
さらに、一方側挟持体２に他方側挟持体３と操作体４とが組み込まれた状態において、操作体４を支持軸１２を中心として後方へ回転させると、図２０に示すように、第一作動カム４３のカム面５０先端部５１が他方側挟持体３の支持部３４に接触した状態となり、図２２に示すように、第二作動カム４４のカム面５２の先端部５４が他方側挟持板３の隆起部２５の上面に接触した状態となる。この時、一方側挟持体２の挟持片１０と他方側挟持体３の挟持片２３とが閉じて一方側挟持板２の一方側挟持歯１９と他方側挟持体３の他方側挟持歯３６とが前方から後方に向かって一方側挟持歯１９、他方側挟持歯３６、一方側挟持歯１９、他方側挟持歯３６の順番で並んで噛み合うようになっており、また、挟持片１０の挟持面９における後方を向く傾斜部１７と挟持片２３の挟持面２２における前方を向くフラット部６８とが、傾斜部１７の先端部を残して対向するように位置付けられる。これにより、挟持面９の傾斜部１７先端部が挟持面２２の平坦部６９の裏面から突出した状態となり、さらに、他方側挟持体３の挟持片２３の平坦部６９の裏面と一方側挟持体２の支持軸１２のアーチ状上面と操作体４の中板４５の上面とが略揃う寸法に設定されている。
【００３６】
また、一方側挟持体２に他方側挟持体３と操作体４とが組み込まれた状態において、操作体４を支持軸を中心として前方へ回転させると、図１６に示すように、第一作動カム４３のカム面５０先端部５１が他方側挟持体３の突起部１９に形成されたカム溝３２に接触した状態となり、図１７に示すように、第二作動カム４４のカム面５２の規制溝５３に他方側挟持体３の突起部３０に形成された規制片３３下面が引っ掛かって操作体４の前方への回転が規制されるようになっており、これにより、他方側挟持体３から操作体４が外れないようになっている。
【００３７】
本実施の形態に係るクリップに用いる前記各部材の材質は特に限定されるものではないが、ポリカーボネート樹脂が弾力性や耐久性の面で望ましい。
【００３８】
次に、図１５に基づいてクリップの組み立て手順について説明する。
【００３９】
図１５の点線にて示す他方側挟持体３のように、他方側挟持体３の嵌合板２１を一方側挟持体２の前方から支持軸１２の下に向かって通して一方側挟持体２の嵌合窓６に他方側挟持体３の嵌合板２１を嵌め込んで、他方側挟持体３の横棒部２９の円弧状凸面３５を一方側挟持体２の円弧状凹面１５に嵌め込んだ状態とした後、図１５の点線にて示す操作体４のように、他方側挟持体３の後方から支持軸１２に操作板４の軸受横溝部４２を嵌め入れて操作板４を支持軸１２を中心として後方へ回転させる。この時、第二作動カム４４のカム面５２の先端部５４前面が他方側挟持体３の突起部３０に形成された規制片３３上面に接触する。この状態から図１５の実線にて示す操作体４のように、操作板４を支持軸１２を中心として更に後方へ回転させると、第二作動カム４４のカム面５２先端部５４前面によって突起部３０が後方へ押され、これに伴って横棒部２９が後方へ向かって弾性変形する。これにより、操作板４の第一作動カム４３は軸受横溝部４２が他方側挟持体３の支持軸１２に嵌まった状態で他方側挟持体３の支持部３４と一方側挟持体２の支持軸１２との間に形成された空間に納まって、操作板４は一方側挟持体２と他方側挟持体３とに組み込まれる。
【００４０】
なお、操作板４が組み込まれた後は操作板４を支持軸１２を中心として前方へ回転させたとしても、操作板４の第二作動カム４４の規制溝５３に他方側支持体３の突起部３０に形成された規制片３３が引っ掛かるので外れることはない。
【００４１】
次に、図１６〜図２２に基づいてクリップの動作について説明する。
【００４２】
クリップ１が開いた状態においては、図１６に示すように、第一作動カム４３のカム面５０先端部５１と他方側挟持体３の突起部３０に形成されたカム溝３２とが、他方側支持体３に対する操作体４の回転中心と一方側支持体２に対する他方側支持体３の回転中心とを結んだ線より上方に位置付けられ、かつ、第一作動カム４３のカム面５０先端部５１が他方側挟持体３の突起部３０に形成されたカム溝３２を後方へ押圧して他方側挟持体３の横棒部２９が後方へ僅かに弾性変形した状態となる。これにより、横棒部２９に生じる弾発力によって、操作体４には、他方側挟持体３に対する操作体４の回転中心を中心とする反時計回りの力が働き、また、他方側挟持体３には、一方側支持体２に対する他方側支持体３の回転中心を中心とする時計回りの力が働き、一方側挟持体２の挟持片１０と他方側挟持体３の挟持片２３とが開いて開放状態を維持する。
【００４３】
この時、図１８に示すように、操作板４の第二作動カム４４のカム面５２先端部５４が他方側挟持体３の横棒部２９前面に接触し、また、図１７に示すように、第二作動カム４４の規制溝５３が他方側挟持体３の規制片３３下面に接触するので、一方側挟持体２と他方側挟持体３と操作板４との組み込み状態が保持される。
【００４４】
次に、操作板４を支持軸１２を中心として僅かに後方へ回転させると、図１９に示すように、第一作動カム４３のカム面５０が回動中心と横棒部２９の中心である支点とを結んだ線上に位置したときに、第一作動カム４３のカム面５０先端部５１後面が他方側挟持体３の突起部３０に形成されたカム溝３２を乗り上げる。
【００４５】
そして、クリップ１が閉じた状態においては、図２０に示すように、第一作動カム４３のカム面５０先端部５１と他方側挟持体３の支持部３０とが、他方側支持体３に対する操作体４の回転中心と一方側支持体２に対する他方側支持体３の回転中心とを結んだ線より下方に位置付けられ、かつ、第一作動カム４３のカム面５０先端部５１が他方側挟持体３の支持部３０を後方へ押圧して他方側挟持体３の横棒部２９が後方へ僅かに弾性変形した状態となる。これにより、横棒部２９に生じる弾発力によって、操作体４には、他方側挟持体３に対する操作体４の回転中心を中心とする時計回りの力が働く。また、図２２に示すように、第二作動カム４４のカム面５２先端部５４が他方側挟持体３の隆起部２５の上面に接触することにより、他方側挟持体３が一方側挟持体２に向かって押さえつけられた状態となり、一方側挟持体２の挟持片１０と他方側挟持体３の挟持片２３とが開くことはない。
【００４６】
この時、操作板４は両挟持体２，３に対して水平な状態となっており、図２１に示すように、操作板４の片溝部４８は一方側挟持体２の後壁８に嵌まり合った状態で片溝部４８の底面が後壁８の上面に接触し、他方側挟持体３の突起部３０は操作板４の中板４５下面の嵌受部４６に嵌まり合った状態で嵌受部４６の内表面が突起部３０の外表面に間隙を有して当接し、図２２に示すように、操作板４の中板４５の台座部４７，４７の下面は他方側挟持体３の横棒部２９の上面に間隙を有して当接し、他方側挟持体３の横棒部２９の円弧状凸面３５は一方側挟持体２の円弧状凹面１５に嵌り込み、他方側挟持体３の起立部２８の背面は一方側挟持体２の傾斜棚１３，１３の斜面に当接し、一方側挟持体２の挟持片１０における挟持面９の傾斜部１７が他方側挟持体３の挟持片２３におけるフラット部６８と対向するように位置付けられ、かつ、挟持片１０における挟持面９の傾斜部１７が挟持片２３における挟持面２２の平坦部６９の裏面よりも突出するように位置付けられる。
【００４７】
次に、図２３及び図２４を用いて本実施の形態に係るクリップ１を取り付けた情報表示札を説明する。本実施の形態に係る情報表示札５５は、各種情報が表示されたカードを収納することができる透明ケース５６と、透明ケース５６の裏面に固定されたクリップ１とから構成されており、透明ケース５６は、クリップ１における一方側挟持体２の挟持面２２の裏側に位置する平坦状に形成された裏面に対して接着固定されている。
【００４８】
本実施の形態に係る情報表示札５５を着用状態のワイシャツに取り付ける場合には、先ず、図２４の（ａ）に示すように、ワイシャツの生地５７が着用者のボディーラインに沿って平坦に伸びた平坦部５８を摘んで該平坦部５８に対して垂直に立ち上がった摘み部５９を形成し、開いた状態のクリップ１における両挟持体２，３の挟持片１０，２３の間に摘み部５９を差し込む。次に、図２４の（ｂ）に示すように、クリップ１における操作体４を後方へ倒して両挟持体２，３の挟持片１０，２３を閉じ、両挟持体２，３の挟持片１０，２２によって摘み部５９を挟み込む。この時、挟持片１０における挟持面９の傾斜部１７と挟持片２３における挟持面２２のフラット部６８と傾斜部の先端部を残した状態で対向して摘み部５９の元端側を挟み込み、また、挟持片１０における挟持面９の平坦部１８と挟持片２３における挟持面２２の平坦部６９とが略平行に位置付けられ、一方側挟持歯１９と他方側挟持歯３６と摘み部５９の先端側を噛み、これにより、両挟持体２，３の挟持片１０，２２によって摘み部５７がノコギリ歯状に折り曲げられて保持された状態となる。また、挟持片１０における挟持面９の傾斜部１７と挟持片２３における挟持部２２のフラット部６８とによって挟み込まれた摘み部５９の元端側が傾斜部１７の傾斜によって強制的に上方へ折り曲げられた状態となっているため、情報表示札５５から手を離すと、図２４の（ｃ）に示すように、情報表示札５５は、摘み部５９の元端側に生じる復元力と自重によってワイシャツに垂れ下がり、着用者のボディーラインに沿って平行に並んだ状態となる。なお、この状態において、ワイシャツの生地５７に対して摘み部５７を引き伸ばす方向へ力が働いたとしても、摘み部５９に対して上側に位置する生地５７が上方へ引っ張られる力が作用する挟持面１０先端（図２４の（ｃ）中、矢印Ｘ1で示す部分）と摘み部５９に対して下側に位置する生地５７が下方へ引っ張られる力が作用する挟持面２２先端（図２４の（ｃ）中、矢印Ｘ2で示す部分）との位置関係を比べると、挟持面１０先端が挟持面２２先端よりも着用者側に位置付けられるため、クリップ全体を時計方向に回転させる力が働くことになり、情報表示札５５が着用者のボディーラインに沿って平行に並んだ状態が維持される。
【００４９】
実施の形態２．
【００５０】
本実施の形態は前記実施の形態１における情報表示札の変形例であり、図２５において、図１〜図２４と同一符号は同一又は相当部分を示している。
【００５１】
本実施の形態に係る情報表示札６０は、図２５に示すように、クリップ１と透明ケース５６とが連結体６１を介して連結されている。具体的には、連結体６１は両端にリング部６２，６２を有しており、連結体６１の一端側のリング部６２が、クリップ１の操作体４に形成された紐通し穴３８に通されていると共に、連結体６１の他端側のリング部６２が、透明ケース５６の上端に設けられた吊下部６３に形成された紐通し穴（図示せず）に通されている。
【００５２】
本実施の形態に係る情報表示札も、前記実施の形態１に係る情報表示札と同一のクリップが取り付けられているため、ワイシャツの生地に対して該生地を摘んで挟むようにクリップを装着すると、クリップは、ボディーラインに沿って平行に並んだ状態で位置付けられる。
【００５３】
実施の形態３・
【００５４】
本実施の形態は前記実施の形態１におけるクリップの挟持歯の変形例であり、図２６において図１〜図２４と同一符号は同一又は相当部分を示している。
【００５５】
本実施の形態に係るクリップ１は、図２６の（ａ）に示すように、一方側挟持体２における挟持面９の傾斜部１７から後方へ一方側挟持歯６４が突出しており、挟持面９の平坦部１８から上方へ一方側挟持歯６５が突出している。また、他方側挟持体３における挟持面２２先端側に一方側挟持歯６４と噛み合うように前方へ向かって傾斜した噛合部６６が形成されており、挟持面２２から下方へ他方側挟持歯６７が突出している。なお、挟持片１０の挟持面９における後方を向く傾斜部１７と挟持片２３の挟持面２２における前方を向く噛合部６６とが、傾斜部１７の先端部を残すことなく対向するように位置付けられ、これにより、両挟持片１０，２３の挟持面９，２２先端の高さ位置が一致する。
【００５６】
本実施の形態におけるクリップ１によれば、図２６の（ｂ）に示すように、ワイシャツの生地５７を摘んで形成した摘み部５９を両挟持体２，３の挟持片１０，２３で挟んだ状態において、ワイシャツの生地５７に対して摘み部５９を引き伸ばす方向へ力が働いたとしても、摘み部５９に対して上側に位置する生地５７が上方へ引っ張られる力が作用する挟持面９先端（図２４の（ｃ）中、矢印Ｙ1で示す部分）と、摘み部５９に対して下側に位置する生地５７が下方へ引っ張られる力が作用する挟持面２２先端（図２４の（ｃ）中、矢印Ｙ2で示す部分）との位置関係を比べると、挟持面９先端と挟持面２２先端とが着用者側から同距離に位置付けられるため、クリップ１全体に回転させる力が働かず、これにより、情報表示札５５が着用者のボディーラインに沿って平行に並んだ状態が維持される。
【００５７】
なお、前記実施の形態１及び２における情報表示札においては、クリップに対して情報が表示されるカードを収納する透明ケースを取り付けたが、これに限定されることなく、例えば、情報が表示されたカードを直接クリップに取り付けても良い。
【符号の説明】
【００５８】
１  クリップ
２  一方側挟持体
３  他方側挟持体
４  操作体
５  基板
６  嵌合窓
７  側壁
８  後壁
９  挟持面
１０  挟持片
１１  支持棚
１２  支持軸
１３  傾斜棚
１４  爪片
１５  円弧状凹面
１６  突起部
１７  傾斜部
１８  平坦部
１９  一方側挟持歯
２０  基板
２１  嵌合板
２２  挟持面
２３  挟持片
２４  底部
２５  隆起部
２６  溝部
２７  後壁
２８  起立部
２９  横棒部
３０  突起部
３１  当接片
３２  カム溝
３３  規制片
３４  支持部
３５  円弧状凸面
３６  他方側挟持歯
３７  基板
３８  紐通し穴
３９  グリップ
４０  背板
４１  前壁
４２  軸受横溝部
４３  第一作動カム
４４  第二作動カム
４５  中板
４６  嵌受部
４７  台座部
４８  後壁
４９  段溝部
５０  カム面
５１  先端部
５２  カム面
５３  規制溝
５４  先端部
５５  情報表示札
５６  透明ケース
５７  生地
５８  平坦部
５９  摘み部
６０  情報表示札
６１  連結体
６２  リング部
６３  吊下部
６４  一方側挟持歯
６５  一方側挟持歯
６６  噛合部
６７  他方側挟持歯
６８  フラット部
６９  平坦部
【図１】
2014206179.tif 000003
【図２】
2014206179.tif 000004
【図３】
2014206179.tif 000005
【図４】
2014206179.tif 000006
【図５】
2014206179.tif 000007
【図６】
2014206179.tif 000008
【図７】
2014206179.tif 000009
【図８】
2014206179.tif 000010
【図９】
2014206179.tif 000011
【図１０】
2014206179.tif 000012
【図１１】
2014206179.tif 000013
【図１２】
2014206179.tif 000014
【図１３】
2014206179.tif 000015
【図１４】
2014206179.tif 000016
【図１５】
2014206179.tif 000017
【図１６】
2014206179.tif 000018
【図１７】
2014206179.tif 000019
【図１８】
2014206179.tif 000020
【図１９】
2014206179.tif 000021
【図２０】
2014206179.tif 000022
【図２１】
2014206179.tif 000023
【図２２】
2014206179.tif 000024
【図２３】
2014206179.tif 000025
【図２４】
2014206179.tif 000026
【図２５】
2014206179.tif 000027
【図２６】
2014206179.tif 000028
【図２７】
2014206179.tif 000029